(57)【要約】【課題】ユーザの入力操作に基づいて、ユーザの意思を反映した処理を行うことができる携帯電子機器及び携帯電子機器の表示方法を提供すること。【解決手段】特定記号を含む所定の記号から構成される第１種記号及び第１種記号とは異なる記号から構成される第２種記号が割り当てられる複数のキーを含む操作部１１と、操作部１１の操作に応じて第１種記号及び第２種記号の少なくとも一方を表示するＬＣＤ表示部２１と、ＬＣＤ表示部２１への表示内容を制御する制御部４５とを備える。制御部４５は、初期画面を表示させている状態において、特定記号及び第２種記号が割り当てられるキーが操作された場合に、特定記号及び第２種記号をＬＣＤ表示部２１に表示させ、初期画面を表示させている状態において、操作部１１の複数のキーのうちの特定記号以外の第１種記号及び第２種記号が割り当てられるキーが操作された場合に、第２種記号をＬＣＤ表示部２１に表示させる。【選択図】図３
2011049838.tif 000002
【特許請求の範囲】
【請求項１】
特定記号を含む所定の記号である第１種記号、及び前記第１種記号とは異なる記号である第２種記号が割り当てられる複数のキーを含む操作部と、
前記操作部の操作に応じて前記第１種記号及び前記第２種記号の少なくとも一方を表示する表示部と、
前記表示部への表示内容を制御する制御部と、を備え、
前記制御部は、
初期画面を前記表示部に表示させている状態において、前記複数のキーのうちの前記特定記号と前記第２種記号との双方が割り当てられる第１のキーが操作された場合に、当該第１のキーに割り当てられる前記特定記号と前記第２種記号との双方を前記表示部に表示させ、
初期画面を前記表示部に表示させている状態において、前記複数のキーのうちの前記特定記号以外の前記第１種記号と前記第２種記号との双方が割り当てられる第２のキーが操作された場合に、当該第２のキーに割り当てられる前記第２種記号を前記表示部に表示させることを特徴とする携帯電子機器。
【請求項２】
前記第１種記号は、数字であり、
前記特定記号は、数字の０又は１であり、
前記第２種記号は、文字であることを特徴とする請求項１記載の携帯電子機器。
【請求項３】
前記制御部は、前記第１のキーの入力を先頭にして、前記第１のキーあるいは前記第２のキーが続けて入力され、生成された数字列が電話番号の入力であると判断した場合に、前記第２種記号である文字列を消去させ、前記第１種記号である数字列を表示し続けることを特徴とする請求項２記載の携帯電子機器。
【請求項４】
前記制御部は、前記第１のキーの入力を先頭にして、前記第１のキーあるいは前記第２のキーが続けて入力され、生成された数字列が３桁の特定のサービスに係る電話番号であると判断された場合に、前記第２種記号である文字列を消去させ、前記第１種記号である数字列を表示し続けることを特徴とする請求項２記載の携帯電子機器。
【請求項５】
前記制御部は、前記第１のキーの入力を先頭にして、前記第１のキーあるいは前記第２のキーが続けて入力され、生成された数字列が１０桁又は１１桁に達したと判断された場合に、前記第２種記号である文字列を消去させ、前記第１種記号である数字列を表示し続けることを特徴とする請求項２記載の携帯電子機器。
【請求項６】
前記制御部は、前記第１のキーの入力を先頭にして、前記第１のキーあるいは前記第２のキーが続けて入力され、数字列が生成されてから、所定時間以上前記操作部による入力操作が行われなかった場合、前記生成された数字列を通信先として発信制御することを特徴とする請求項３乃至５に記載の携帯電子機器。
【請求項７】
特定記号を含む所定の記号である第１種記号、及び前記第１種記号とは異なる記号から構成される第２種記号である複数のキーを含む操作部が操作される操作工程と、
初期画面を表示部に表示させている状態において、前記操作工程により前記複数のキーのうちの前記特定記号と前記第２種記号との双方が割り当てられる第１のキーが操作された場合に、当該第１のキーに割り当てられる前記特定記号と前記第２種記号との双方を表示部に表示させる第１の表示工程と、
初期画面を表示部に表示させている状態において、前記操作工程により前記複数のキーのうちの前記特定記号以外の前記第１種記号と前記第２種記号との双方が割り当てられる第２のキーが操作された場合に、当該第２のキーに割り当てられる前記第２種記号を表示させる第２の表示工程と、を有することを特徴とする携帯電子機器の表示方法。
【発明の詳細な説明】
【技術分野】
【０００１】
本発明は、表示部を有する携帯電子機器及び表示部に所定の表示を行う携帯電子機器の表示方法に関する。
【背景技術】
【０００２】
携帯電子機器は、各種の情報を表示する表示部と、複数のキーにより構成されている操作部を備えている。ここで、携帯電子機器では、着信を待ち受けるときやその他のアプリケーションの起動を待ち受けるときには、表示部に初期画面が表示される。この初期画面が表示されている状態において、数字が割り当てられている操作キーが押下されると、当該押下された操作キーに対応する数字を表示部に表示する。そして、携帯電子機器は、表示部に所定の数字列（例えば、「０３」で始まる１０桁の数字列）が表示されている状態において、オンフックキーが押下された場合には、入力されている数字列に基づいた電話発信処理を行う（例えば、特許文献１を参照）。
【先行技術文献】
【特許文献】
【０００３】
【特許文献１】特開平４−８６１４３号公報
【発明の概要】
【発明が解決しようとする課題】
【０００４】
ところで、初期画面の状態において、ユーザが数字と文字とが割り当てられているキーを押下した場合に、キー操作の初期段階においては、ユーザがどちらの記号を意識しながら操作しているか分からない。例えば、初期画面の状態において、数字の「０」とひらがなの「わ」がアサインされているキーをユーザが押下したときに、数字かひらがなの一方のみの記号を単に表示するような場合には、ユーザが所望しない記号が表示されてしまう可能性がある。
そこで、ユーザの入力操作に基づいて、ユーザが所望する記号を表示することができ、ユーザの意思を反映した処理を行うことができる携帯電子機器及び携帯電子機器の表示方法を提供することを目的とする。
【課題を解決するための手段】
【０００５】
本発明に係る携帯電子機器は、上記課題を解決するために、特定記号を含む所定の記号である第１種記号、及び前記第１種記号とは異なる記号である第２種記号が割り当てられる複数のキーを含む操作部と、前記操作部の操作に応じて前記第１種記号及び前記第２種記号の少なくとも一方を表示する表示部と、前記表示部への表示内容を制御する制御部と、を備え、前記制御部は、初期画面を前記表示部に表示させている状態において、前記複数のキーのうちの前記特定記号と前記第２種記号との双方が割り当てられる第１のキーが操作された場合に、当該第１のキーに割り当てられる前記特定記号と前記第２種記号との双方を前記表示部に表示させ、初期画面を前記表示部に表示させている状態において、前記複数のキーのうちの前記特定記号以外の前記第１種記号と前記第２種記号との双方が割り当てられる第２のキーが操作された場合に、当該第２のキーに割り当てられる前記第２種記号を前記表示部に表示させることを特徴とする。
【０００６】
また、上記携帯電子機器では、前記第１種記号は、数字であり、前記特定記号は、数字の０又は１であり、前記第２種記号は、文字であることが好ましい。
【０００７】
また、上記携帯電子機器では、前記制御部は、前記第１のキーの入力を先頭にして、前記第１のキーあるいは前記第２のキーが続けて入力され、生成された数字列が電話番号の入力であると判断した場合に、前記第２種記号である文字列を消去させ、前記第１種記号である数字列を表示し続けることが好ましい。
【０００８】
また、上記携帯電子機器では、前記制御部は、前記第１のキーの入力を先頭にして、前記第１のキーあるいは前記第２のキーが続けて入力され、生成された数字列が３桁の特定のサービスに係る電話番号であると判断された場合に、前記第２種記号である文字列を消去させ、前記第１種記号である数字列を表示し続けることが好ましい。
【０００９】
また、上記携帯電子機器では、前記制御部は、前記第１のキーの入力を先頭にして、前記第１のキーあるいは前記第２のキーが続けて入力され、生成された数字列が１０桁又は１１桁に達したと判断された場合に、前記第２種記号である文字列を消去させ、前記第１種記号である数字列を表示し続けることが好ましい。
【００１０】
また、上記携帯電子機器では、前記制御部は、前記第１のキーの入力を先頭にして、前記第１のキーあるいは前記第２のキーが続けて入力され、数字列が生成されてから、所定時間以上前記操作部による入力操作が行われなかった場合、前記生成された数字列を通信先として発信制御することが好ましい。
【００１１】
また、本発明に係る携帯電子機器の表示方法は、上記課題を解決するために、特定記号を含む所定の記号である第１種記号、及び前記第１種記号とは異なる記号から構成される第２種記号である複数のキーを含む操作部が操作される操作工程と、初期画面を表示部に表示させている状態において、前記操作工程により前記複数のキーのうちの前記特定記号と前記第２種記号との双方が割り当てられる第１のキーが操作された場合に、当該第１のキーに割り当てられる前記特定記号と前記第２種記号との双方を表示部に表示させる第１の表示工程と、初期画面を表示部に表示させている状態において、前記操作工程により前記複数のキーのうちの前記特定記号以外の前記第１種記号と前記第２種記号との双方が割り当てられる第２のキーが操作された場合に、当該第２のキーに割り当てられる前記第２種記号を表示させる第２の表示工程と、を有することを特徴とする。
【発明の効果】
【００１２】
本発明によれば、ユーザにより所定の入力操作がされた場合において、ユーザの意思を反映した処理を行うことができる。
【図面の簡単な説明】
【００１３】
【図１】携帯電話装置の外観斜視図である。
【図２】携帯電話装置を折畳んだ状態の斜視図である。
【図３】携帯電話装置の機能を示す機能ブロック図である。
【図４】キーアサインについての説明に供する図である。
【図５】初期画面が表示されている状態からキー操作が行われることによって、第１種記号表示領域と第２種記号表示領域とが表示され、その後、第２種記号表示領域に遷移する様子についての説明に供する図である。
【図６】携帯電話装置の表示制御方法についての説明に供するフローチャートである。
【図７】携帯電話装置の表示制御方法の具体的な処理の流れについての説明に供するフローチャートである。
【発明を実施するための形態】
【００１４】
以下、本発明の実施の形態について説明する。図１は、本発明に係る携帯電子機器の一例である携帯電話装置１の外観斜視図を示す。なお、図１は、いわゆる折り畳み型の携帯電話装置の形態を示しているが、本発明に係る携帯電話装置の形態としては特にこれに限られない。例えば、両筐体を重ね合わせた状態から一方の筐体を一方向にスライドさせるようにしたスライド式や、重ね合せ方向に沿う軸線を中心に一方の筐体を回転させるようにした回転式（ターンタイプ）や、操作部と表示部とが一つの筐体に配置され、連結部を有さない形式（ストレートタイプ、フリップタイプ）でも良い。
【００１５】
携帯電話装置１は、操作部側筐体部２と、表示部側筐体部３と、を備えて構成される。操作部側筐体部２は、表面部１０に、操作部１１と、携帯電話装置１の使用者が通話時に発した音声が入力されるマイク１２と、を備えて構成される。操作部１１は、各種設定や電話帳機能やメール機能等の各種機能を作動させるための機能設定操作キー１３と、電話番号の数字やメール等の文字等を入力するための入力操作キー１４と、各種操作における決定やスクロール等を行う決定操作キー１５と、から構成されている。
また、表示部側筐体部３は、表面部２０に、各種情報を表示するためのＬＣＤ（Ｌｉｑｕｉｄ  Ｃｒｙｓｔａｌ  Ｄｉｓｐｌａｙ）表示部２１と、通話の相手側の音声を出力するスピーカ２２と、を備えて構成されている。
【００１６】
また、操作部側筐体部２の上端部と表示部側筐体部３の下端部とは、ヒンジ機構４を介して連結されている。また、携帯電話装置１は、ヒンジ機構４を介して連結された操作部側筐体部２と表示部側筐体部３とを相対的に回転することにより、操作部側筐体部２と表示部側筐体部３とを互いに開いた状態（開放状態）にしたり、操作部側筐体部２と表示部側筐体部３とを折り畳んだ状態（折畳み状態）にしたりできる。
また、図２は、携帯電話装置１を折畳んだ状態の斜視図を示している。操作部側筐体部２は、外平面部に、時計やメールの着信等が表示されるサブＬＣＤ表示部３０が備えられている。
【００１７】
また、図３は、携帯電話装置１の機能を示す機能ブロック図である。携帯電話装置１は、図３に示すように、操作部１１と、マイク１２と、メインアンテナ４０と、ＲＦ回路部４１と、ＬＣＤ制御部４２と、音声処理部４３と、メモリ４４と、制御部４５と、が操作部側筐体部２に備えられ、ＬＣＤ表示部２１（表示部）と、スピーカ２２と、ドライバＩＣ２３と、サブＬＣＤ表示部３０とが表示部側筐体部３に備えられている。
【００１８】
メインアンテナ４０は、第１の使用周波数帯（例えば、８００ＭＨｚ）で基地局等と通信を行い、ＧＰＳ通信のための第２の使用周波数帯（例えば、１．５ＧＨｚ）に対応できるデュアルバンド対応構成である。なお、本実施の形態では、第１の使用周波数帯として、８００ＭＨｚとしたが、これ以外の周波数帯であっても良い。また、メインアンテナ４０は、第１の使用周波数帯で外部装置と通信を行い、ＧＰＳ通信のための第２の使用周波数帯に対応できるアンテナを別途設けても良い。
【００１９】
ＲＦ回路部４１は、メインアンテナ４０によって受信した信号を復調処理し、処理後の信号を制御部４５に供給する。そして、制御部４５から供給された信号を変調処理し、メインアンテナ４０を介して外部装置（基地局）に送信する。また、その一方で、メインアンテナ４０によって受信している信号の強度を制御部４５に通知する。
【００２０】
ＬＣＤ制御部４２は、制御部４５の制御に従って、所定の画像処理を行い、処理後の画像データをドライバＩＣ２３に出力する。ドライバＩＣ２３は、ＬＣＤ制御部４２から供給された画像データをフレームメモリに蓄え、所定のタイミングでＬＣＤ表示部２１又はサブＬＣＤ表示部３０に出力する。
音声処理部４３は、制御部４５の制御に従って、ＲＦ回路部４１から供給された信号に対して所定の音声処理を行い、処理後の信号をスピーカ２２に出力する。スピーカ２２は、音声処理部４３から供給された信号を外部に出力する。
【００２１】
また、音声処理部４３は、制御部４５の制御に従って、マイク１２から入力された信号を処理し、処理後の信号をＲＦ回路部４１に出力する。ＲＦ回路部４１は、音声処理部４３から供給された信号に所定の処理を行い、処理後の信号をメインアンテナ４０に出力する。
【００２２】
メモリ４４は、例えば、ワーキングメモリを含み、制御部４５による演算処理に利用される。また、メモリ４４には、複数のアプリケーションや当該アプリケーションが必要とする各種のテーブル等が記憶されている。また、メモリ４４は、着脱可能な外部メモリを兼ねていても良い。
【００２３】
制御部４５は、携帯電話装置１の全体を制御しており、中央処理装置（ＣＰＵ）等を用いて構成される。ここで、操作部１１によるキー操作に応じた制御部４５の制御動作について説明する。制御部４５は、原則的に現在アクティブに起動されているアプリケーションに応じて、操作部１１を構成する各キー（機能設定操作キー１３、入力操作キー１４、決定操作キー１５）に割り当てる記号や機能を変化させる。
【００２４】
具体的には、操作部１１は、いずれかのキーが押下されたときに、当該キーの位置情報（例えば、図４（ａ）に示すように、入力操作キー１４の第２行左列のキー（「１」と「あ」が表面に印刷されているキー）が押下された場合には、（Ｘ２、Ｙ１）なる位置情報）を制御部４５に送信する。制御部４５は、メモリ４４にアクセスして、現在アクティブになっているアプリケーションに対応するキーアサインテーブルを参照し、操作部１１から送信されてきた位置情報から割り当てられている記号や機能の処理を実行する。例えば、メモリ４４には、図４（ｂ）〜図４（ｄ）に示すように、複数のキーアサインテーブルが格納されている。なお、図４（ｂ）は、電話発信を行う際に利用されるテーブルであり、図４（ｃ）は、メモ帳アプリケーションやメールアプリケーションにおいて利用されるテーブルであり、図４（ｄ）は、テレビアプリケーションにおいてチャンネルを変更する際に利用されるテーブルである。
【００２５】
なお、記号の処理の実行とは、例えば、現在アクティブになっているアプリケーションがメモ帳の場合には、「１」や「あ」をＬＣＤ表示部２１に表示することを意味している。また、機能の処理の実行とは、例えば、現在アクティブになっているアプリケーションがテレビの場合には、表示チャンネルを１ｃｈに設定することを意味している。
【００２６】
また、メモリ４４には、複数のキーアサインテーブルが格納されており、制御部４５は、アプリケーションに応じて、参照するキーアサインテーブルを切り替え、操作部１１から送信されてくるキーの位置情報に基づいて所定のキーアサインテーブルを参照して、所定の処理を実行する。
【００２７】
このように構成される携帯電話装置１では、通信の待ち受け状態（初期画面が表示されている状態）において、キー操作が行われた場合に、当該キーに割り当てられている複数の記号（例えば、数字や文字）のそれぞれを、例えば、別々の画面領域に並列的に表示し、所定の記号列が入力操作されたと判断した場合に、文字が表示されている表示領域を消去し、数字が表示されている表示領域のみを表示させる機能を有している。ここで、初期画面が表示されている状態とは、主電源が投入され、通信セッションの確立処理が終了し、通信の待ち受けが可能になっている状態をいい、メールアプリケーションや、テレビアプリケーションや、メモ帳アプリケーション等が起動していない状態をいう。また、初期画面１００には、各種の情報が表示されており、例えば、図５（ａ）に示すように、電池の残量を示す情報１００ａや、現在時刻及び日付に関する情報１００ｂや、天気に関する情報１００ｃや、アプリケーションのショートカットアイコン１００ｄ等が表示されている。
【００２８】
ここで、上述した機能を発揮するための制御部４５の動作について詳細に説明する。なお、操作部１１は、特定記号を含む所定の記号である第１種記号、及び第１種記号とは異なる記号である第２種記号が割り当てられる複数のキーを含んで構成されている。また、ＬＣＤ表示部２１は、操作部１１の操作に応じて第１種記号及び第２種記号の少なくとも一方が表示される。
【００２９】
制御部４５は、ＬＣＤ表示部２１への表示内容を制御するものであって、初期画面をＬＣＤ表示部２１に表示させている状態において、操作部１１の複数のキーのうちの特定記号と第２種記号との双方が割り当てられる第１のキーが操作された場合には、当該第１のキーに割り当てられる特定記号と第２種記号との双方をＬＣＤ表示部２１に表示させる。
【００３０】
また、制御部４５は、初期画面をＬＣＤ表示部２１に表示させている状態において、操作部１１の複数のキーのうちの特定記号以外の第１種記号と第２種記号との双方が割り当てられる第２のキーが操作された場合には、当該第２のキーに割り当てられる第２種記号をＬＣＤ表示部２１に表示させる。
ここで、特定記号とは、国際電話を除く電話番号に共通する先頭番号のことである。よって、この特定記号が先頭に入力されなかった場合には、ユーザは、電話番号の入力を意識して行っていないと推定することができる。
【００３１】
このようにして、携帯電話装置１は、通信の待ち受け状態（初期画面が表示されている状態）において、特定記号が割り当てられている第１のキーが操作された場合には、ユーザが電話番号を意識的に入力しているのか否かを判断できないため、特定記号及び第２種記号の双方を表示する。また、携帯電話装置１は、通信の待ち受け状態において、特定記号が割り当てられていない第２のキーが操作された場合には、ユーザが電話番号を意識的に入力していないと判断することができ、第２種記号のみを表示する。よって、携帯電話装置１は、ユーザにより所定の入力操作がされた場合において、ユーザが所望する記号を表示することができ、ユーザの意思を反映した処理を行うことができる。
【００３２】
また、第１種記号は、数字であり、特定記号は、数字の「０」又は「１」であり、第２種記号は、文字であることが好ましい。また、図１に記載の携帯電話装置１においては、特定記号「０」が割り当てられているキーには、第２種記号の「わ」「を」「ん」「、」「。」が割り当てられており、特定記号「１」が割り当てられているキーには、第２種記号の「あ」が割り当てられている。なお、かかる特定記号と第２種記号の割り当ては一例であって、この割り当てに限られない。
【００３３】
ここで、電話番号は、国際電話を除けば、例えば、「０３３５８１１１０１」等のように先頭の番号が「０」から始まるか、「１１０」等のように先頭の番号が「１」から始まる。従って、通信の待ち受け状態において、先頭の記号として「０」又は「１」以外の記号（２〜９）が割り当てられているキーが操作され、「２」から「９」のいずれか一つが先頭の記号として入力された場合には、電話番号の入力ではないと判断することができる。
【００３４】
そこで、携帯電話装置１は、「０」又は「１」以外の記号（２〜９）が割り当てられているキーが操作された場合には、電話番号の入力ではないと判断し、操作されたキーに割り当てられている第２種記号（「あ」や「か」等）のみを表示させることによって、ユーザが所望する記号を表示することができ、ユーザの意思を反映した処理を行うことができる。
【００３５】
また、制御部４５は、第１のキーの入力を先頭にして、第１のキーあるいは第２のキーが続けて入力され、生成された数字列が電話番号の入力であると判断した場合に、第２種記号である文字列を消去させ、第１種記号である数字列を表示し続けることが好ましい。
【００３６】
制御部４５は、特定記号（例えば、「０」、「１」）を先頭にして、所定の数字列（３桁、１０桁又は１１桁）が入力され、入力された数字列で確定する操作がなされた場合には、電話番号の入力であると判断して、第２種記号である文字列を消去させ、第１種記号である数字列のみを表示する。
【００３７】
よって、携帯電話装置１は、ユーザにより所定の入力操作がされた場合において、ユーザが所望する記号を表示することができ、ユーザの意思を反映した処理を行うことができる。なお、上述では、所定の数字列として、３桁、１０桁又は１１桁を想定したがこれに限られず、例えば、発信者番号通知許否の「１８４」を先頭にして、１３桁又は１４桁の数字列（電話番号）であっても良い。
【００３８】
また、制御部４５は、第１のキーの入力を先頭にして、第１のキーあるいは第２のキーが続けて入力され、生成された数字列が３桁の特定のサービスに係る電話番号であると判断された場合に、第２種記号である文字列を消去させ、第１種記号である数字列を表示し続けることが好ましい。
ここで、３桁の特定のサービスに係る電話番号とは、「１１４」や、「１１０」や、「１１９」等の電話会社により提供されているサービス番号である。
【００３９】
制御部４５は、特定記号（例えば、「１」）を先頭にして、所定の数字列として、３桁の特定のサービスに係る番号（例えば、「１１０」）が入力され、入力された内容で確定する操作がなされた場合には、電話番号の入力であると判断して、第２種記号である文字列を消去させ、第１種記号である数字列のみを表示する。
よって、携帯電話装置１は、ユーザにより所定の入力操作がされた場合において、ユーザが所望する記号を表示することができ、ユーザの意思を反映した処理を行うことができる。
【００４０】
例えば、制御部４５は、初期画面１００が表示されている状態において（図５（ａ））、入力操作キー１４の第２行左列のキーが２回押下され、その後、入力操作キー１４の第３行左列のキーが１回押下され、当該押下に応じてキーの位置情報（Ｘ２、Ｙ１）、（Ｘ２、Ｙ１）、（Ｘ３、Ｙ１）が入力された場合、図４（ｂ）のキーアサインテーブルを参照して第１種記号表示領域１０２に数字列「１１４」を表示し、また、図４（ｃ）のキーアサインテーブルを参照して第２種記号表示領域１０１に数字列「いた」を表示する（図５（ｂ））。
【００４１】
制御部４５は、このように生成された数字列が３桁の特定のサービスに係る電話番号であると判断した場合に、第２種記号である文字列を消去させ、第１種記号である数字列を表示する（図５（ｃ））。このようにして、携帯電話装置１は、ユーザにより所定の入力操作がされた場合において、ユーザが所望する記号を表示することができ、ユーザの意思を反映した処理を行うことができる。
【００４２】
制御部４５は、第１のキーの入力を先頭にして、第１のキーあるいは第２のキーが続けて入力され、生成された数字列が１０桁又は１１桁に達したと判断された場合に、第２種記号である文字列を消去させ、第１種記号である数字列を表示し続けることが好ましい。
電話番号は、一般的に、００〜０９を先頭にして始まる１０桁の番号であったり、０７０、０１２０等を先頭にして始まる１１桁の番号である。そこで、制御部４５は、特定記号（例えば、「０」）を先頭にして、所定の数字列（例えば、１０桁又は１１桁）が入力され、入力された数字列で確定する操作がなされた場合には、電話番号の入力であると判断して、第２種記号である文字列を消去させ、第１種記号である数字列のみを表示する。
よって、携帯電話装置１は、ユーザにより所定の入力操作がされた場合において、ユーザが所望する記号を表示することができ、ユーザの意思を反映した処理を行うことができる。なお、所定の数字列は、１０桁又は１１桁に限られない。
【００４３】
また、制御部４５は、第１のキーの入力を先頭にして、第１のキーあるいは第２のキーが続けて入力され、数字列が生成されてから、所定時間以上前記操作部による入力操作が行われなかった場合、生成された数字列を通信先として発信制御することが好ましい。なお、所定時間は、ユーザが適宜設定しても良い。
【００４４】
例えば、制御部４５は、所定の数字列として「０３３５８１１１０１」が入力され、例えば、１０秒以上入力操作がない場合には、「０３３５８１１１０１」を通信先の電話番号と認識して、発信制御を行う。よって、携帯電話装置１は、所定の数字列が入力された後、ユーザが何の操作をしなくても発信制御を行うことができる。
【００４５】
つぎに、通信の待ち受け状態において、ユーザの操作に基づいて表示態様を制御する携帯電話装置１の表示制御方法について説明する。
携帯電話装置１は、図６に示すように、操作工程ＳＴ１と、第１の表示工程ＳＴ２と、第２の表示工程ＳＴ３とにより表示制御が行われる。
【００４６】
操作工程ＳＴ１は、特定記号を含む所定の記号である第１種記号、及び第１種記号とは異なる記号である第２種記号が割り当てられる複数のキーを含む操作部１１が操作される工程である。
【００４７】
第１の表示工程ＳＴ２は、初期画面をＬＣＤ表示部２１に表示させている状態において、操作工程ＳＴ１により操作部１１の複数のキーのうちの特定記号と第２種記号との双方が割り当てられる第１のキーが操作された場合に、当該第１のキーに割り当てられる特定記号と第２種記号との双方をＬＣＤ表示部２１に表示させる工程である。
【００４８】
第２の表示工程ＳＴ３は、初期画面をＬＣＤ表示部２１に表示させている状態において、操作工程ＳＴ１により操作部１１の複数のキーのうちの特定記号以外の第１種記号と第２種記号との双方が割り当てられる第２のキーが操作された場合には、当該第２のキーに割り当てられる第２種記号を表示させる工程である。
ここで、特定記号とは、上述したように、国際電話を除く電話番号に共通する先頭番号のことである。よって、この特定記号が先頭に入力されなかった場合には、ユーザは、電話番号の入力を意識して行っていないと推定することができる。
【００４９】
このようにして、携帯電話装置１の表示制御方法は、通信の待ち受け状態（初期画面が表示されている状態）において、特定記号が割り当てられているキーが操作された場合には、ユーザが電話番号を意識的に入力しているのか否かを判断できないため、特定記号及び第２種記号の双方を表示する。
【００５０】
また、携帯電話装置１の表示制御方法は、通信の待ち受け状態において、特定記号が割り当てられていないキーが操作された場合には、ユーザが電話番号を意識的に入力していないと判断することができ、第２種記号のみを表示する。
よって、携帯電話装置１の表示制御方法は、ユーザにより所定の入力操作がされた場合において、ユーザが所望する記号を表示することができ、ユーザの意思を反映した処理を行うことができる。
【００５１】
つぎに、携帯電話装置１の表示制御方法の具体的な処理の流れについて、図７に示すフローチャートを参照しながら説明する。
ステップＳＴ１１において、制御部４５は、通信の待ち受け状態において、最初に入力された記号が特定記号であるか否かを判断する。具体的には、最初に入力された記号が特定記号「１」であると判断した場合には、ステップＳＴ１２に進み、最初に入力された記号が特定記号「０」であると判断した場合には、ステップＳＴ１５に進み、最初に入力された第１種記号が「２」〜「９」のいずれかの記号であると判断した場合には、ステップＳＴ２２に進む。
【００５２】
ステップＳＴ１２において、制御部４５は、所定の数字列が入力操作されたかどうかを判断する。例えば、制御部４５は、「０７０」や、「０８０」や、「０９０」等の携帯電話の電話番号の上３桁が入力された場合には、所定の数字列が入力操作されたと判断する。所定の数字列が入力操作されたと判断した場合（Ｙｅｓ）には、ステップＳＴ１３に進み、所定の数字列が入力操作されなかったと判断した場合（Ｎｏ）には、ステップＳＴ１４に進む。
【００５３】
ステップＳＴ１３において、制御部４５は、入力された数字列が１１桁で確定されたかどうかを判断する。ここで、携帯電話の電話番号は、一般的に、「０９０」で始まり１１桁の番号となる。また、例えば、制御部４５は、数字列が入力され、一定時間以上、操作部１１による入力操作がされなかった場合に入力された数字列を確定する。確定された数字列が１１桁の場合（Ｙｅｓ）には、ステップＳＴ２０に進み、確定された数字列が１１桁でない場合（Ｎｏ）には、ステップＳＴ２２に進む。
【００５４】
ステップＳＴ１４において、制御部４５は、入力された数字列が１０桁で確定されたかどうかを判断する。ここで、携帯電話ではない一般の電話（固定電話）の電話番号は、一般的に、国内通話を示す国内プレフィックス「０」と市外局番を含めて１０桁の番号となる。例えば、制御部４５は、数字列が入力され、一定時間以上、操作部１１による入力操作がされなかった場合に入力された数字列を確定する。確定された数字列が１０桁の場合（Ｙｅｓ）には、ステップＳＴ２０に進み、確定された数字列が１０桁でない場合（Ｎｏ）には、ステップＳＴ２２に進む。
【００５５】
ステップＳＴ１５において、制御部４５は、入力された数字列が３桁で確定されたかどうかを判断する。数字列が３桁で確定された場合（Ｙｅｓ）には、ステップＳＴ２０に進み、数字列が３桁で確定されなかった場合（Ｎｏ）には、ステップＳＴ１６に進む。
【００５６】
ステップＳＴ１６において、制御部４５は、確定された数字列の上３桁が所定の数字列かどうかを判断する。ここで、所定の数字列とは、例えば、発信者番号通知許否の「１８４」や、発信者番号通知の「１８６」等の数字列である。確定された数字列の上３桁が所定の数字列であると判断した場合（Ｙｅｓ）には、ステップＳＴ１７に進み、確定された数字列の上３桁が所定の数字列ではないと判断した場合（Ｎｏ）には、ステップＳＴ２２に進む。
【００５７】
ステップＳＴ１７において、制御部４５は、確定された数字列の上４桁から上６桁までの３桁の記号が所定の数字列かどうかを判断する。例えば、制御部４５は、上４桁から上６桁までの記号が「０７０」や、「０８０」や、「０９０」等の携帯電話の電話番号の上３桁の記号である場合には、所定の数字列であると判断する。所定の数字列であると判断した場合（Ｙｅｓ）には、ステップＳＴ１８に進み、所定の数字列ではないと判断した場合（Ｎｏ）には、ステップＳＴ１９に進む。
【００５８】
ステップＳＴ１８において、制御部４５は、数字列が１４桁で確定されたかどうかを判断する。ここで、携帯電話の電話番号は、一般的に、「０９０」で始まり１１桁の番号となる。よって、上３桁に「１８４」等の数字列が入力されていれば、確定された数字列は、「１８４０９０・・・・・・・・」となり電話番号の可能性が高くなる。また、数字列が１４桁の場合（Ｙｅｓ）には、ステップＳＴ２０に進み、確定された数字列が１１桁でない場合（Ｎｏ）には、ステップＳＴ２２に進む。
【００５９】
ステップＳＴ１９において、制御部４５は、数字列が１３桁で確定されたかどうかを判断する。ここで、携帯電話ではない一般の電話（固定電話）の電話番号は、一般的に、国内通話を示す国内プレフィックス「０」と市外局番を含めて１０桁の番号となる。よって、上３桁に「１８４」等の数字列が入力されていれば、確定された数字列は、「１８４０３・・・・・・・・」となり電話番号の可能性が高くなる。また、数字列が１３桁の場合（Ｙｅｓ）には、ステップＳＴ２０に進み、確定された数字列が１３桁でない場合（Ｎｏ）には、ステップＳＴ２２に進む。
【００６０】
ステップＳＴ２０において、制御部４５は、電話番号の入力画面を起動する。具体的には、制御部４５は、第２種記号表示領域を消去し、第１種記号表示領域を表示し続けるように制御する。
【００６１】
ステップＳＴ２１において、制御部４５は、電話の発信制御を行う。制御部４５は、例えば、所定時間以上、操作部１１による入力操作が行われなかった場合、第１種記号表示領域に入力されている所定の数字列を通信先として発信制御を行う。
【００６２】
また、ステップＳＴ２２において、制御部４５は、通信の待ち受け状態において、最初に入力された記号が特定記号ではないので、電話番号の入力ではなく、文字の入力であると判断する。
【００６３】
ステップＳＴ２３において、制御部４５は、文字入力起動画面を起動する旨のポップアップ表示を行い、入力操作があったかどうかを判断する。具体的には、制御部４５は、第１種記号表示領域を消去し、第２種記号表示領域を表示し続けるようにポップアップ表示を行う。ポップアップ表示後、一定期間以上、操作部１１による入力操作が行われなかった場合（Ｎｏ）には、ステップＳＴ２４に進み、操作部１１による入力操作が行われた場合（Ｙｅｓ）には、ステップＳＴ２５に進む。なお、ポップアップ表示をすることなく文字入力と判断すると自動的に文字入力画面の起動をしても良い。
【００６４】
ステップＳＴ２４において、制御部４５は、文字入力起動画面の起動、すなわち、第１種記号表示領域を消去し、第２種記号表示領域を表示し続けるように制御する。
【００６５】
ステップＳＴ２５において、制御部４５は、第１種記号表示領域と第２種記号表示領域の表示を継続する。
【００６６】
このようにして、携帯電話装置１は、通信の待ち受け状態（初期画面が表示されている状態）において、特定記号が割り当てられているキーが操作された場合には、ユーザが電話番号を意識的に入力しているのか否かを判断できないため、特定記号及び第２種記号の双方を表示する。また、携帯電話装置１は、通信の待ち受け状態において、特定記号が割り当てられていないキーが操作された場合には、ユーザが電話番号を意識的に入力していないと判断することができ、第２種記号のみを表示する。よって、携帯電話装置１は、ユーザにより所定の入力操作がされた場合において、ユーザが所望する記号を表示することができ、ユーザの意思を反映した処理を行うことができる。
【００６７】
本実施例は、上述したように、電話番号の入力に焦点をあてた判別方法を提案するものである。判別方法をまとめると、例えば、以下のようになる。
＜電話番号入力画面（第１種記号表示領域）に入力された数字の条件＞
＜条件１．＞００〜０９から始まる１０桁の番号である場合（全国の市外局番／フリーダイヤルを網羅）
＜条件２．＞０７０、０８０、０９０等から始まる１１桁の番号である場合（携帯電話等の電話番号を網羅）
＜条件３．＞１から始まる３桁の番号である場合（１１０、１１９、１１８、１７１、１７７、１１７、１０４、１１５・・・等）
＜条件４．＞市外局番メモリに市外局番が登録されている場合は、市外局番の桁数と電話番号入力画面の桁数が合計１０桁又は１１桁である場合
＜条件５．＞１８４又は１８６から始まる１３桁又は１４桁の番号である場合
【００６８】
１）携帯電話装置１は、＜条件１．＞から＜条件５．＞のいずれも充足しない場合には、「文字入力」であると判別する。
２）携帯電話装置１は、＜条件１．＞から＜条件５．＞のいずれかを充足する場合には、「電話番号入力」であると判別し、電話番号入力画面に切り替える。
３）携帯電話装置１は、「電話番号入力」であると判別した後、一定時間以上、キー操作がない場合には、入力されている番号へ発信制御を行う。
なお、＜条件１．＞から＜条件５．＞は、すべての電話番号の入力情報を網羅していないが、基本となる電話番号の入力条件であるので、本実施例の効果を期待できる。
また、国際電話の場合等では、＜条件１．＞から＜条件５．＞に当てはまらない例外もあるが、このような場合には、「文字入力」であると判別されて文字入力画面表示に切り替わる際に、ポップアップ表示等により切り替えを停止できる構成にすることにより、対応することができる。
また、＜条件１．＞から＜条件５．＞の判別方法で桁数を判別する際には、携帯電話装置１は、３桁、１０桁、１１桁等の番号が入力された後、一定時間以上、キー操作があるかないかで判断することができる。
【００６９】
このようにして、携帯電話装置１は、電話番号の特徴に基づいて判別条件を設け、複数の番号が入力された場合に、電話番号入力であるかどうかを判別する。従って、携帯電話装置１は、通信の待ち受け状態からのキー操作によって、ＬＣＤ表示部２１が複数の表示領域に分割され、続くキーの入力操作に応じて、各表示領域において情報が更新されて行く状態において、電話番号の入力か否かを判別できた時点から、分割状態を解除し、一つの表示領域のみの更新に切り替えることによって、メモリの負荷を権限し、視認性を向上させることができる。
【００７０】
なお、本実施例においては、制御部４５がＬＣＤ表示部２１に対する表示制御を直接行うように説明したが、厳密には、制御部４５とＬＣＤ制御部４２が協調した動作をすることによりＬＣＤ表示部２１に対する表示制御を行う。
【符号の説明】
【００７１】
１  携帯電話装置
１１  操作部
２１  ＬＣＤ表示部
４５  制御部
【図１】
2011049838.tif 000003
【図２】
2011049838.tif 000004
【図３】
2011049838.tif 000005
【図４】
2011049838.tif 000006
【図５】
2011049838.tif 000007
【図６】
2011049838.tif 000008
【図７】
2011049838.tif 000009
【手続補正書】
【提出日】平成22年9月10日(2010.9.10)
【手続補正１】
【補正対象書類名】明細書
【補正対象項目名】０００２
【補正方法】変更
【補正の内容】
【０００２】
携帯電子機器は、各種の情報を表示する表示部と、複数のキーにより構成されている操作部を備えている。ここで、携帯電子機器では、着信を待ち受けるときやその他のアプリケーションの起動を待ち受けるときには、表示部に初期画面が表示される。この初期画面が表示されている状態において、数字が割り当てられている操作キーが押下されると、当該押下された操作キーに対応する数字を表示部に表示する。そして、携帯電子機器は、表示部に所定の数字列（例えば、「０３」で始まる１０桁の数字列）が表示されている状態において、オフフックキーが押下された場合には、入力されている数字列に基づいた電話発信処理を行う（例えば、特許文献１を参照）。